(57)【要約】【課題】サイズの異なる複数の原画像を、ユーザーの意図に沿った配列で１枚の出力シート上に集約された合成画像として出力することを容易にすること。【解決手段】相対位置設定部５４Ｃは、操作部４Ａに対する操作に従って、複数の原画像Ｇ０の一部または全部である複数の出力要素画像Ｇ１を選択し、複数の出力要素画像Ｇ１の相対位置関係を表す相対位置情報Ｄｘ１を設定する。変換倍率算出部５３Ｃは、前記相対位置情報Ｄｘ１に従って並ぶ前記複数の出力要素画像Ｇ１を含む合成画像Ｇ２を出力シート９２の有効領域９２０内に収まる最大サイズの画像へ縮小する変換倍率を算出する。プレビュー画面制御部５４Ｂは、出力シート９２の前記有効領域９２０内に前記変換倍率に従ってサイズ調整された前記合成画像Ｇ２が形成された印刷物のプレビュー画像Ｇ２ｘを含むプレビュー画面Ｆ２を表示部４Ｂに表示させる。【選択図】図１
2018006937.tif 000002
【特許請求の範囲】
【請求項１】
操作部と、
表示部と、
複数の原画像のデータを取得する原画像取得部と、
前記複数の原画像が選択対象として表示される選択画面を前記表示部に表示させる選択画面制御部と、
予め設定されたサイズの出力シートにおける予め設定された有効領域内に画像が形成された印刷物のプレビュー画像が表示されるプレビュー画面を前記表示部に表示させるプレビュー画面制御部と、
前記操作部に対する操作に従って、前記選択画面に含まれる前記複数の原画像から前記複数の原画像の一部または全部である複数の出力要素画像を選択するとともに、前記出力シートの前記有効領域内における前記複数の出力要素画像の相対位置関係を表す相対位置情報を設定する相対位置設定部と、
前記相対位置情報に従って並ぶ前記複数の出力要素画像を含む合成画像が原サイズのままで前記有効領域内に収まらない場合に、原サイズの前記合成画像を前記有効領域内に収まる最大サイズの画像へ縮小する倍率である変換倍率を算出する変換倍率算出部と、
前記変換倍率に従ってサイズ調整された前記合成画像を表す合成画像データを生成する合成画像データ生成部と、
前記合成画像データが表す画像を前記出力シートに形成する画像形成部と、を備え、
前記プレビュー画面制御部は、前記出力シートの前記有効領域内に前記変換倍率に従ってサイズ調整された前記合成画像が形成された前記印刷物の前記プレビュー画像を含む前記プレビュー画面を前記表示部に表示させる、画像形成装置。
【請求項２】
前記複数の原画像各々が予め設定された占有度を超えて文字画像を含む文字列タイプ画像であるかそれ以外の非文字列タイプ画像であるかを判定する画像種判定部と、
それぞれ前記相対位置情報に従って並ぶ前記複数の出力要素画像を含む複数の候補合成画像を編成する候補画像編成部と、をさらに備え、
前記複数の候補合成画像は、前記複数の出力要素画像に含まれる前記文字列タイプ画像が前記文字画像の向きを基準とする予め定められた標準の向きで配列され、さらに前記複数の出力要素画像に含まれる前記非文字列タイプ画像が前記原画像の向きと同じ第１の向きおよび前記第１の向きに対して９０度異なる第２の向きのそれぞれで配列されることによって得られる画像であり、
前記変換倍率算出部は、前記複数の候補合成画像各々について原サイズの前記候補合成画像を前記有効領域内に収まる最大サイズの画像へ縮小する倍率である候補倍率を算出した上で、最も大きな前記候補倍率を前記変換倍率とし、
前記プレビュー画面制御部および前記合成画像データ生成部は、最も大きな前記候補倍率に対応する前記候補合成画像を前記合成画像とする、請求項１に記載の画像形成装置。
【請求項３】
前記操作部に対する操作に従って、前記複数の出力要素画像の一部を指定要素画像として選択するとともに、前記指定要素画像についての固定倍率または前記指定要素画像以外の前記出力要素画像に対する前記指定要素画像の相対倍率である指定倍率を設定する指定倍率設定部をさらに備え、
前記指定倍率が設定された場合、前記変換倍率算出部は、前記合成画像における前記指定要素画像のサイズを前記指定倍率に従ったサイズに調整しつつ前記合成画像における前記指定要素画像以外の前記出力要素画像についての前記変換倍率を算出し、
前記指定倍率が設定された場合、前記プレビュー画面制御部および前記合成画像データ生成部は、前記指定倍率に従ってサイズ調整された前記指定要素画像と前記変換倍率に従ってサイズ調整された前記指定要素画像以外の前記出力要素画像とを含む画像を前記合成画像とする、請求項１に記載の画像形成装置。
【請求項４】
前記複数の原画像各々が予め設定された占有度を超えて文字画像を含む文字列タイプ画像であるかそれ以外の非文字列タイプ画像であるかを判定する画像種判定部をさらに備え、
前記指定倍率設定部は、前記操作部に対する前記文字列タイプ画像を選択する操作に応じて、前記複数の出力要素画像に含まれる前記文字列タイプ画像を前記指定要素画像として一括して選択可能である、請求項３に記載の画像形成装置。
【請求項５】
前記相対位置設定部は、前記操作部に対する操作に従って、前記合成画像における前記複数の出力要素画像の一部または全部の重なり状態を設定可能である、請求項１から請求項４のいずれか１項に記載の画像形成装置。
【請求項６】
前記相対位置設定部は、前記操作部に対する操作に従って、前記複数の出力要素画像の一部または全部の向きを指定可能であり、
前記複数の出力要素画像の一部または全部の向きが指定された場合、前記変換倍率算出部、前記プレビュー画面制御部および前記合成画像データ生成部は、指定された向きで配列された前記複数の出力要素画像の一部または全部を含む画像を前記合成画像とする、請求項１から請求項５のいずれか１項に記載の画像形成装置。
【請求項７】
前記複数の出力要素画像各々から日付情報を抽出する日付抽出部をさらに備え、
前記相対位置設定部は、前記複数の出力要素画像が前記日付情報に従って並ぶ位置関係を表す前記相対位置情報を自動設定可能であり、さらに、前記操作部に対する操作に従って、自動設定された前記相対位置情報を変更可能である、請求項１から請求項６のいずれか１項に記載の画像形成装置。
【請求項８】
前記原画像取得部は、複数の原稿の画像を読み取ることにより、前記複数の原画像のデータを取得する画像読取部を含む、請求項１から請求項７のいずれか１項に記載の画像形成装置。
【発明の詳細な説明】
【技術分野】
【０００１】
本発明は、画像形成装置に関する。
【背景技術】
【０００２】
一般に、画像形成装置は、複数の原画像のデータを取得し、予め設定されたサイズの出力シートに収まるサイズに縮小された前記複数の原画像を含む合成画像を前記出力シートに形成する集約印刷処理を実行可能である。
【０００３】
また、前記画像形成装置が、取得した前記複数の原画像を予め選択された帳票データに含まれる書式情報に従って合成することが知られている（例えば、特許文献１参照）。
【先行技術文献】
【特許文献】
【０００４】
【特許文献１】特開２００６−８６５８０号公報
【発明の概要】
【発明が解決しようとする課題】
【０００５】
ところで、サイズの異なる前記複数の原画像を、ユーザーの意図に沿った配列で１枚の前記出力シート上に集約された前記合成画像として出力したい場合がある。
【０００６】
上記の場合、従来の画像形成装置のユーザーは、まず、前記複数の原画像各々を縮小コピーし、それぞれ縮小コピーの画像が形成された複数のシートを切り貼りすることによって前記合成画像の原稿を作成し、さらに、前記合成画像の原稿をコピーすることが必要であった。しかしながら、そのような煩雑な作業は前記ユーザーにとって大きな負担となる。
【０００７】
本発明の目的は、サイズの異なる複数の原画像を、ユーザーの意図に沿った配列で１枚の出力シート上に集約された合成画像として出力することを容易にする画像形成装置を提供することにある。
【課題を解決するための手段】
【０００８】
本発明の一の局面に係る画像形成装置は、操作部と、表示部と、原画像取得部と、選択画面制御部と、プレビュー画面制御部と、相対位置設定部と、変換倍率算出部と、合成画像データ生成部と、画像形成部とを備える。前記原画像取得部は、複数の原画像のデータを取得する。前記選択画面制御部は、前記複数の原画像が選択対象として表示される選択画面を前記表示部に表示させる。前記プレビュー画面制御部は、予め設定されたサイズの出力シートにおける予め設定された有効領域内に画像が形成された印刷物のプレビュー画像が表示されるプレビュー画面を前記表示部に表示させる。前記相対位置設定部は、前記操作部に対する操作に従って、前記選択画面に含まれる前記複数の原画像から前記複数の原画像の一部または全部である複数の出力要素画像を選択するとともに、前記出力シートの前記有効領域内における前記複数の出力要素画像の相対位置関係を表す相対位置情報を設定する。前記変換倍率算出部は、前記相対位置情報に従って並ぶ前記複数の出力要素画像を含む合成画像が原サイズのままで前記有効領域内に収まらない場合に、原サイズの前記合成画像を前記有効領域内に収まる最大サイズの画像へ縮小する倍率である変換倍率を算出する。前記合成画像データ生成部は、前記変換倍率に従ってサイズ調整された前記合成画像を表す合成画像データを生成する。前記画像形成部は、前記合成画像データが表す画像を前記出力シートに形成する。前記プレビュー画面制御部は、前記出力シートの前記有効領域内に前記変換倍率に従ってサイズ調整された前記合成画像が形成された前記印刷物の前記プレビュー画像を含む前記プレビュー画面を前記表示部に表示させる。
【発明の効果】
【０００９】
本発明によれば、サイズの異なる複数の原画像を、ユーザーの意図に沿った配列で１枚の出力シート上に集約された合成画像として出力することを容易にする画像形成装置を提供することが可能になる。
【図面の簡単な説明】
【００１０】
【図１】図１は、第１実施形態に係る画像形成装置のブロック図である。
【図２】図２は、第１実施形態に係る画像形成装置における画像合成処理の手順の一例を示すフローチャートである。
【図３】図３は、第１実施形態に係る画像形成装置における合成画像調整処理の手順の一例を示すフローチャートである。
【図４】図４は、第１実施形態に係る画像形成装置によって合成される複数の原画像の一例を示す図である。
【図５】図５は、第１実施形態に係る画像形成装置における初期状態の合成レイアウト設定画面の一例を示す図である。
【図６】図６は、第１実施形態に係る画像形成装置における１つの出力要素画像が選択されたときの合成レイアウト設定画面の一例を示す図である。
【図７】図７は、第１実施形態に係る画像形成装置における２つの出力要素画像が選択されたときの合成レイアウト設定画面の一例を示す図である。
【図８】図８は、第１実施形態に係る画像形成装置における条件指定画面の一例を示す図である。
【図９】図９は、第１実施形態に係る画像形成装置によって編成された縮小処理前の複数の候補合成画像の一例を示す図であり、図９Ａは２つの非文字列タイプ画像が第１の向きで配列された縮小処理前の第１候補合成画像を示す図であり、図９Ｂは２つの非文字列タイプ画像の一方が第２の向きで配列された縮小処理前の第２候補合成画像を示す図であり、図９Ｃは２つの非文字列タイプ画像の他方が第２の向きで配列された縮小処理前の第３候補合成画像を示す図であり、図９Ｄは、２つの非文字列タイプ画像が第２の向きで配列された縮小処理前の第４候補合成画像を示す図である。
【図１０】図１０は、第１実施形態に係る画像形成装置によって編成された縮小処理後の複数の候補合成画像の一例を示す図であり、図１０Ａは２つの非文字列タイプ画像が第１の向きで配列された縮小処理後の第１候補合成画像を示す図であり、図１０Ｂは２つの非文字列タイプ画像の一方が第２の向きで配列された縮小処理後の第２候補合成画像を示す図であり、図１０Ｃは２つの非文字列タイプ画像の他方が第２の向きで配列された縮小処理後の第３候補合成画像を示す図であり、図１０Ｄは、２つの非文字列タイプ画像が第２の向きで配列された縮小処理後の第４候補合成画像を示す図である。
【図１１】図１１は、第２実施形態に係る画像形成装置のブロック図である。
【図１２】図１２は、第２実施形態に係る画像形成装置における合成レイアウト設定画面の一例を示す図である。
【図１３】図１３は、応用例に係る画像形成装置における２つの出力要素画像の重なり状態が設定されている途中の合成レイアウト設定画面の一例を示す図である。
【図１４】図１４は、応用例に係る画像形成装置における２つの出力要素画像の重なり状態が設定された後の合成レイアウト設定画面の一例を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
［第１実施形態：画像形成装置１０の構成］
図１に示されるように、第１実施形態に係る画像形成装置１０は、画像読取部１、画像形成部２，データ記憶部３、ユーザーインターフェイス４および制御部５などを備える。画像形成装置１０は、例えば複写機または複合機などである。
【００１３】
ユーザーインターフェイス４は、操作部４Ａおよび表示部４Ｂを含む。本実施形態において、表示部４Ｂは表示パネルを有するパネル表示装置であり、操作部４Ａは、前記表示パネルと一体に形成されたタッチパネルを含む。
【００１４】
画像読取部１は、原稿９１の画像を読み取る装置である。画像読取部１は、原稿９１に対して光を出射する光源、原稿９１からの反射光を受光して画像データを出力するラインセンサーなどを備える。原稿９１から読み取られた画像は、後述する画像合成処理における原画像Ｇ０の一例である（図４参照）。
【００１５】
画像形成部２は、電子写真方式またはインクジェット方式などの予め定められた方式で出力シート９２に画像を形成する画像形成処理を実行する装置である。本実施形態において、画像形成部２は、後述する画像処理部５３によって生成される合成画像データＤｓ０に対応する画像を、出力シート９２に形成する。
【００１６】
データ記憶部３は、コンピューター読み取り可能な不揮発性のメモリーである。データ記憶部３は、プログラムおよび各種のデータを記憶可能である。例えば、ハードディスクドライブまたはＳＳＤ（Solid State Drive）などが、データ記憶部３として採用される。
【００１７】
制御部５は、各種の演算、データ処理および画像形成装置１０が備える各種の電子機器の制御を実行する。制御部５は、バスを通じてデータ記憶部３との間でデータおよび制御信号の受け渡しが可能である。
【００１８】
制御部５は、画像読取部１を制御する画像読取制御部５１と、画像形成部２を制御する印刷制御部５２と、画像処理部５３と、ユーザーインターフェイス４を制御するＵＩ（User Interface）制御部５４とを含む。
【００１９】
例えば、制御部５は、予めデータ記憶部３などに記憶されたプログラムを実行するプロセッサーによって実現される。
【００２０】
画像形成装置１０は、複数の原画像Ｇ０のデータを取得し、予め設定されたサイズの出力シート９２に収まるサイズに縮小された複数の原画像Ｇ０を含む合成画像Ｇ２を出力シート９２に形成する集約印刷処理を実行可能である（図４参照）。
【００２１】
ところで、サイズの異なる複数の原画像Ｇ０を、ユーザーの意図に沿った配列で１枚の出力シート９２上に集約された合成画像Ｇ２として出力したい場合がある。
【００２２】
上記の場合、従来の画像形成装置のユーザーは、まず、複数の原画像Ｇ０各々を縮小コピーし、それぞれ縮小コピーの画像が形成された複数のシートを切り貼りすることによって合成画像Ｇ２の原稿を作成し、さらに、合成画像Ｇ２の原稿をコピーすることが必要であった。しかしながら、そのような煩雑な作業は前記ユーザーにとって大きな負担となる。
【００２３】
画像形成装置１０は、後述する画像合成処理を実行することにより、サイズの異なる複数の原画像Ｇ０を、ユーザーの意図に沿った配列で１枚の出力シート９２上に集約された合成画像Ｇ２として出力することを容易にする。
【００２４】
前記画像合成処理は、制御部５によって実行される。前記画像合成処理の実行のために、制御部５のＵＩ制御部５４は、選択画面制御部５４Ａ、プレビュー画面制御部５４Ｂ、相対位置設定部５４Ｃ、指定倍率設定部５４Ｄおよび出力制御部５４Ｅを含む。さらに、制御部５の画像処理部５３は、画像種判定部５３Ａ、候補画像編成部５３Ｂ、変換倍率算出部５３Ｃおよび合成画像データ生成部５３Ｄを含む。
【００２５】
前記画像合成処理が開始される前に、ＵＩ制御部５４の出力制御部５４Ｅが、操作部４Ａに対するユーザーの操作に従って、出力シート情報Ｄｘ０を設定する。出力シート情報Ｄｘ０は、出力シート９２のサイズ、向きおよび余白などの情報を含む。
【００２６】
有効領域９２０は、出力シート９２における合成画像Ｇ２の形成が許容される最大領域である。出力シート９２の有効領域９２０は、出力シート情報Ｄｘ０によって特定される。
【００２７】
即ち、有効領域９２０は、出力シート情報Ｄｘ０に含まれる前記サイズおよび前記向きの情報が表す出力シート９２の全領域から、出力シート情報Ｄｘ０に含まれる前記余白の情報が表す余白領域が除かれた残りの領域である。
【００２８】
［前記画像合成処理］
以下、図２に示されるフローチャートを参照しつつ、前記画像合成処理の手順の一例について説明する。以下の説明において、Ｓ１０１，Ｓ１０２，…は、制御部５が前記画像合成処理において実行する工程の識別符号を表す。
【００２９】
＜工程Ｓ１０１＞
前記画像合成処理において、画像読取制御部５１が、複数の原稿９１の画像を画像読取部１に読み取らせる。これにより得られる複数の画像データが、合成の対象となる複数の原画像Ｇ０のデータである。なお、画像読取部１は、複数の原稿９１の画像を読み取ることにより、複数の原画像Ｇ０のデータを取得する原画像取得部の一例である。
【００３０】
＜工程Ｓ１０２＞
次に、画像処理部５３の画像種判定部５３Ａが、複数の原画像Ｇ０各々について文字認識処理を実行する。これにより、画像種判定部５３Ａは、複数の原画像Ｇ０各々が予め設定された占有度を超えて文字画像Ｇ１１を含む文字列タイプ画像Ｇ０１であるかそれ以外の非文字列タイプ画像Ｇ０２であるかを判定する（図４参照）。
【００３１】
例えば、前記占有度が、原画像Ｇ０における描画画素の総数に占める文字画像Ｇ１１の画素数の割合であることが考えられる。前記占有度は、操作部４Ａに対する操作を通じて予め設定される。
【００３２】
＜工程Ｓ１０３＞
次に、ＵＩ制御部５４が、例えば図５に示されるような合成レイアウト設定画面Ｆ０を表示部４Ｂに表示させる。合成レイアウト設定画面Ｆ０は、選択画面Ｆ１とプレビュー画面Ｆ２とを含む。
【００３３】
選択画面Ｆ１は、工程Ｓ１０１で得られた複数の原画像Ｇ０が選択対象として表示される選択メニュー画面である。図５に示される初期状態の合成レイアウト設定画面Ｆ０内の選択画面Ｆ１において、工程Ｓ１０１で得られた全ての原画像Ｇ０が、縮小された状態で選択対象として表示されている。
【００３４】
プレビュー画面Ｆ２は、予め設定されたサイズの出力シート９２における予め設定された有効領域９２０内に画像が形成された印刷物のプレビュー画像Ｇ２ｘが表示される画面である（図７，８参照）。
【００３５】
なお、図５に示される初期状態の合成レイアウト設定画面Ｆ０は、未だプレビュー画面Ｆ２に表示される画像が選択される前の画面である。そのため、図５において、プレビュー画像Ｇ２ｘは未だ合成画像Ｇ２を含んでいない。
【００３６】
工程Ｓ１０３において、ＵＩ制御部５４の選択画面制御部５４Ａが、選択画面Ｆ１を表示部４Ｂに表示させ、ＵＩ制御部５４のプレビュー画面制御部５４Ｂが、プレビュー画面Ｆ２を表示部４Ｂに表示させる。
【００３７】
＜工程Ｓ１０４，Ｓ１０５，Ｓ１０６＞
次に、合成レイアウト設定画面Ｆ０が表示されているときに、ＵＩ制御部５４の相対位置設定部５４Ｃが、操作部４Ａに対する配置設定操作を検知する処理（Ｓ１０４）を実行する。同様に、指定倍率設定部５４Ｄが、操作部４Ａに対する指定操作を検知する処理（Ｓ１０５）を実行する。同様に、出力制御部５４Ｅが、操作部４Ａに対する出力操作を検知する処理（Ｓ１０６）を実行する。
【００３８】
前記配置設定操作は、出力要素画像選択操作と相対位置関係設定操作とを含む。前記出力要素画像選択操作は、選択画面Ｆ１に含まれる複数の原画像Ｇ０からそれら複数の原画像Ｇ０の一部または全部である複数の出力要素画像Ｇ１を選択する操作である。前記相対位置関係設定操作は、出力シート９２の有効領域９２０内における複数の出力要素画像Ｇ１の相対位置関係を設定する操作である。
【００３９】
例えば、前記出力要素画像選択操作および前記相対位置関係設定操作が、一連のドラッグ・アンド・ドロップ操作であることが考えられる。前記ドラッグ・アンド・ドロップ操作において、選択画面Ｆ１における複数の原画像Ｇ０のいずれかの位置が始点であり、プレビュー画面Ｆ２内の目的位置が終点である。
【００４０】
また、前記ドラッグ・アンド・ドロップ操作が、プレビュー画面Ｆ２に既に表示されている複数の出力要素画像Ｇ１の位置関係を変更する操作であることも考えられる。この場合、前記ドラッグ・アンド・ドロップ操作において、プレビュー画面Ｆ２に既に表示されている出力要素画像Ｇ１の位置が始点であり、プレビュー画面Ｆ２内の他の出力要素画像Ｇ１の間の目的位置が終点である。
【００４１】
また、選択画面Ｆ１内の前記始点において操作部４Ａを指８でタッチする操作が、その始点に表示された原画像Ｇ０を出力要素画像Ｇ１として選択する前記出力要素画像選択操作である。また、前記終点において操作部４Ａから指８を離す操作が、前記終点の位置を、先にプレビュー画面Ｆ２に表示されている他の出力要素画像Ｇ１に対する今回選択された出力要素画像Ｇ１の相対位置として設定する操作である。
【００４２】
なお、図５，６において、前記ドラッグ・アンド・ドロップ操作を行う指８が仮想線（破線）で示されている。
【００４３】
また、前記指定操作は、合成画像Ｇ２おける倍率および向きなどの条件を指定する対象とする出力要素画像Ｇ１を選択する操作である。以下の説明において、前記指定操作によって選択される出力要素画像Ｇ１のことを指定要素画像と称する。
【００４４】
本実施形態において、合成レイアウト設定画面Ｆ０に含まれるテキスト画像アイコンＦ３に対する操作が、前記指定操作の一例である。この指定操作は、操作部４Ａに対する文字列タイプ画像Ｇ０１を選択する操作の一例である。指定倍率設定部５４Ｄは、テキスト画像アイコンＦ３に対する操作に応じて、複数の出力要素画像Ｇ１に含まれる文字列タイプ画像Ｇ０１を前記指定要素画像として一括して選択可能である。
【００４５】
また、プレビュー画面Ｆ２における出力要素画像Ｇ１が表示されている部分を長押しする操作またはダブルタッチする操作が、１つの前記指定要素画像を選択する前記指定操作の一例である。
【００４６】
一方、前記出力操作は、合成レイアウト設定画面Ｆ０に含まれる印刷アイコンＦ４または保存アイコンＦ５に対する操作である。
【００４７】
印刷アイコンＦ４は、合成画像形成処理の実行を指示する操作アイコンである。前記合成画像形成処理は、プレビュー画面Ｆ２に表示される合成画像Ｇ２を出力シート９２に形成する処理である。保存アイコンＦ５は、合成画像Ｇ２のデータをデータ記憶部３に保存する処理の実行を指示する操作アイコンである。
【００４８】
相対位置設定部５４Ｃは、前記配置設定操作、前記条件指定操作および前記出力操作のいずれも検知できない場合、工程Ｓ１０４〜Ｓ１０６の処理を繰り返す。また、相対位置設定部５４Ｃは、前記配置設定操作を検知した場合、処理を工程Ｓ１０７へ移行させる。また、相対位置設定部５４Ｃは、前記条件指定操作を検知した場合、処理を工程Ｓ１０８へ移行さる。また、相対位置設定部５４Ｃは、印刷アイコンＦ４に対する操作を検知した場合、処理を工程Ｓ１０９へ移行させ、保存アイコンＦ５に対する操作を検知した場合、処理を工程Ｓ１１０へ移行させる。
【００４９】
＜工程Ｓ１０７＞
工程Ｓ１０７において、制御部５は、合成画像調整処理を実行する。前記合成画像生成処理は、工程Ｓ１０４において選択された複数の出力要素画像Ｇ１のサイズおよび向きを調整することにより、出力シート９２の有効領域９２０内に収まる合成画像Ｇ２のデータを生成する処理である。
【００５０】
以下の説明において、工程Ｓ１０７で生成される合成画像Ｇ２のデータのことを合成画像データＤｓ０と称する。前記合成画像調整処理の具体例については後述する。制御部５は、前記合成画像調整処理が終了したときに、処理を工程Ｓ１０４へ移行させる。
【００５１】
＜工程Ｓ１０８＞
また、工程Ｓ１０８において、指定倍率設定部５４Ｄが、表示部４Ｂに図８に示されるような条件指定画面７を表示させた上で、操作部４Ａに対する操作に従って、前記指定要素画像についての指定条件を設定する。
【００５２】
工程Ｓ１０８において、指定倍率設定部５４Ｄは、例えば図８に示されるような条件指定画面７を表示部４Ｂに表示させる。条件指定画面７は、前記指定倍率が入力される倍率入力欄Ｆ７１と、倍率自動指定部Ｆ７２と、固定倍率指定部Ｆ７３と、相対倍率指定部Ｆ７４と、向き自動指定部Ｆ７５と、第１向き指定部Ｆ７６と、第２向き指定部Ｆ７７とを含む。
【００５３】
倍率自動指定部Ｆ７２を選択する操作が行われると、合成画像Ｇ２における前記指定要素画像の倍率の指定が解除される。この場合、倍率入力欄Ｆ７１に入力された前記指定倍率は無視され、変換倍率算出部５３Ｃが、前記合成画像調整処理において、合成画像Ｇ２における前記指定要素画像の倍率を自動設定する。
【００５４】
固定倍率指定部Ｆ７３を選択する操作が行われると、指定倍率設定部５４Ｄは、倍率入力欄Ｆ７１に入力された前記指定倍率を、前記指定要素画像の前記固定倍率として設定する。また、相対倍率指定部Ｆ７４を選択する操作が行われると、指定倍率設定部５４Ｄは、倍率入力欄Ｆ７１に入力された前記指定倍率を、前記指定要素画像の前記相対倍率として設定する。
【００５５】
向き自動指定部Ｆ７５を選択する操作が行われると、合成画像Ｇ２における前記指定要素画像の向きの指定が解除される。この場合、画像処理部５３が合成画像Ｇ２における前記指定要素画像の向きを予め定められたルールに従って自動設定する。
【００５６】
相対位置設定部５４Ｃは、第１向き指定部Ｆ７６を選択する操作が行われると、合成画像Ｇ２における前記指定要素画像の向きを原画像Ｇ０の向きと同じ第１の向きに設定する。また、相対位置設定部５４Ｃは、第２向き指定部Ｆ７７を選択する操作が行われると、合成画像Ｇ２における前記指定要素画像の向きを原画像Ｇ０の向きに対して９０度異なる第２の向きに設定する。即ち、相対位置設定部５４Ｃは、工程Ｓ１０８において、操作部４Ａに対する操作に従って、複数の出力要素画像Ｇ１の一部または全部の向きを指定可能である。
【００５７】
上記のように、指定倍率設定部５４Ｄは、操作部４Ａに対する操作に従って、複数の出力要素画像Ｇ１の一部を前記指定要素画像として選択可能である。さらに、指定倍率設定部５４Ｄは、前記指定要素画像についての前記指定倍率として、前記固定倍率および前記相対倍率の一方を指定可能である。
【００５８】
前記固定倍率は、原画像Ｇ０のサイズに対する固定の倍率である。前記相対倍率は、指定要素画像以外の出力要素画像Ｇ１に対する前記指定要素画像の相対倍率である。
【００５９】
指定倍率設定部５４Ｄは、工程Ｓ１０８に続く処理を工程Ｓ１０４へ移行させる。
【００６０】
＜工程Ｓ１０９＞
一方、工程Ｓ１０６において前記印刷操作が検知されると、印刷制御部５２が、工程Ｓ１０７の処理によって生成される合成画像データＤｓ０を画像処理部５３から取得し、合成画像Ｇ２を出力シート９２に形成する処理を画像形成部２に実行させる。その後、印刷制御部５２は、前記画像合成処理を終了させる。
【００６１】
＜工程Ｓ１１０＞
また、工程Ｓ１０６において前記保存操作が検知されると、出力制御部５４Ｅが、工程Ｓ１０７の処理によって生成される合成画像データＤｓ０をデータ記憶部３に保存する。その後、出力制御部５４Ｅは、前記画像合成処理を終了させる。
【００６２】
なお、操作部４Ａに対する印刷操作が行われた場合に、出力制御部５４Ｅは、データ記憶部３から合成画像データＤｓ０を読み出し、その合成画像データＤｓ０が表す合成画像Ｇ２を出力シート９２に形成する処理を画像形成部２に実行させる。
【００６３】
［前記合成画像調整処理］
次に、図３に示されるフローチャートを参照しつつ、前記合成画像調整処理の手順の一例について説明する。以下の説明において、Ｓ２０１，Ｓ２０２，…は、制御部５が前記合成画像調整処理において実行する工程の識別符号を表す。
【００６４】
＜工程Ｓ２０１＞
前記合成画像調整処理において、相対位置設定部５４Ｃが、工程Ｓ１０４で検知された前記出力要素画像選択操作に従って、選択画面Ｆ１に含まれる複数の原画像Ｇ０から出力要素画像Ｇ１を選択する。さらに、相対位置設定部５４Ｃは、工程Ｓ１０４で検知された前記配置設定操作に従って、出力シート９２の有効領域９２０内における出力要素画像Ｇ１の位置を設定する。
【００６５】
工程Ｓ１０４および工程Ｓ２０１の処理が複数回繰り返されることにより、複数の原画像Ｇ０の一部または全部が、複数の出力要素画像Ｇ１として選択される。
【００６６】
２つ目以降の出力要素画像Ｇ１が選択された場合、相対位置設定部５４Ｃは、工程Ｓ１０４で検知された前記配置設定操作に従って、有効領域９２０内における複数の出力要素画像Ｇ１の相対位置関係を表す相対位置情報Ｄｘ１を設定する。
【００６７】
また、工程Ｓ２０１において、相対位置設定部５４Ｃは、操作部４Ａに対する操作に従って、既に設定された相対位置情報Ｄｘ１を変更することも可能である。この場合、相対位置設定部５４Ｃは、プレビュー画面Ｆ２内での前記ドラッグ・アンド・ドロップ操作に従って相対位置情報Ｄｘ１を変更する。
【００６８】
以下の説明において、有効領域９２０におけるＸ軸方向およびＹ軸方向の一方および他方をそれぞれ主方向および副方向と称する。前記主方向および前記副方向は、操作部４Ａに対する操作に応じて予め設定される。
【００６９】
例えば、相対位置情報Ｄｘ１が、行番号と列番号とによって表されることが考えられる。前記行番号は、前記主方向に沿う行の前記副方向における配列順を表す番号である。前記列番号は、同じ前記行に属する出力要素画像Ｇ１の前記主方向における配列順を表す番号である。
【００７０】
＜工程Ｓ２０２＞
さらに、選択画面制御部５４Ａが、選択画面Ｆ１の表示内容を更新する。具体的には、選択画面制御部５４Ａは、出力要素画像Ｇ１を選択対象から外した選択画面Ｆ１を表示部４Ｂに表示させる（図５〜７参照）。
【００７１】
＜工程Ｓ２０３＞
さらに、画像処理部５３の候補画像編成部５３Ｂが候補画像編成処理を実行する。前記候補画像編成処理は、複数の出力要素画像Ｇ１から複数の候補合成画像Ｇ２０を編成する処理である。
【００７２】
図９Ａ〜Ｄおよび図１０Ａ〜Ｄは、２つの文字列タイプ画像Ｇ０１を含む４つの出力要素画像Ｇ１から編成された４つの候補合成画像Ｇ２０の一例をそれぞれ示す。
【００７３】
複数の候補合成画像Ｇ２０は、それぞれ相対位置情報Ｄｘ１に従って配列された複数の出力要素画像Ｇ１を含む画像であり、合成画像Ｇ２の候補である。
【００７４】
より具体的には、複数の候補合成画像Ｇ２０は、複数の出力要素画像Ｇ１に含まれる文字列タイプ画像Ｇ０１が文字画像Ｇ１１の向きを基準とする予め定められた標準の向きで配列され、さらに複数の出力要素画像Ｇ１に含まれる非文字列タイプ画像Ｇ０２が第１の向きおよび第２の向きのそれぞれで配列されることによって得られる画像である。
【００７５】
文字列タイプ画像Ｇ０１の前記標準の向きは、文字画像Ｇ１１の向きを基準とする予め定められた向きである。具体的には、前記標準の向きは、文字画像Ｇ１１の縦方向が編成後の画像のＹ軸方向に沿う向きである。
【００７６】
また、非文字列タイプ画像Ｇ０２の前記第１の向きは、原画像Ｇ０の向きと同じ向きである。一方、非文字列タイプ画像Ｇ０２の前記第２の向きは、前記第１の向きに対して９０度異なる向きである。
【００７７】
＜工程Ｓ２０４＞
次に、画像処理部５３の変換倍率算出部５３Ｃが、相対位置情報Ｄｘ１に従って並ぶ複数の出力要素画像Ｇ１を含む合成画像Ｇ２が原サイズのままで有効領域９２０内に収まらない場合に、変換倍率を算出する。前記変換倍率は、原サイズの合成画像Ｇ２を有効領域９２０内に収まる最大サイズの画像へ縮小する倍率である。
【００７８】
一方、合成画像Ｇ２が原サイズのままで有効領域９２０内に収まる場合、変換倍率算出部５３Ｃは、前記変換倍率を１００％に設定する。
【００７９】
本実施形態において、変換倍率算出部５３Ｃは、まず、複数の候補合成画像Ｇ２０各々について原サイズの候補合成画像Ｇ２０を有効領域９２０内に収まる最大サイズの画像へ縮小する倍率である候補倍率を算出する。その上で、変換倍率算出部５３Ｃは、最も大きな前記候補倍率を前記変換倍率として導出する。これにより、有効領域９２０を最も効率的に利用できる１つの前記候補倍率が前記変換倍率として採用される。なお、最も大きな前記候補倍率は、最も１００％に近い前記候補倍率である。
【００８０】
前記指定要素画像およびそれに対応する前記指定倍率が設定されていない場合、変換倍率算出部５３Ｃは、合成画像Ｇ２における全ての出力要素画像Ｇ１に共通の前記変換倍率を算出する。
【００８１】
一方、図２の工程Ｓ１０８において前記指定要素画像およびそれに対応する前記指定倍率が設定された場合、変換倍率算出部５３Ｃは、合成画像Ｇ２における前記指定要素画像のサイズを前記指定倍率に従ったサイズに調整しつつ合成画像Ｇ２における前記指定要素画像以外の出力要素画像Ｇ１についての前記変換倍率を算出する。
【００８２】
図９，１０に示される例は、４つの出力要素画像Ｇ１に含まれる２つの文字列タイプ画像Ｇ０１が、前記固定倍率を前記指定倍率とする前記指定要素画像である場合の例である。この場合、変換倍率算出部５３Ｃは、合成画像Ｇ２における２つの文字列タイプ画像Ｇ０１のサイズを前記指定倍率に従ったサイズに調整する。さらに、変換倍率算出部５３Ｃは、合成画像Ｇ２における残りの非文字列タイプ画像Ｇ０２についての前記変換倍率を算出する。
【００８３】
但し、図２の工程Ｓ１０８において、複数の出力要素画像Ｇ１の一部または全部の向きが指定された場合、候補画像編成部５３Ｂは、指定された向きに反する向きで配列された出力要素画像Ｇ１を含む候補合成画像Ｇ２０を、前記変換倍率を導出する対象から除外する。
【００８４】
この工程Ｓ２０４の処理が行われた後、プレビュー画面制御部５４Ｂおよび後述する合成画像データ生成部５３Ｄは、最も大きな前記候補倍率に対応する候補合成画像Ｇ２０を合成画像Ｇ２として処理する。
【００８５】
図１０に示される例では、図１０Ｄに示される候補合成画像Ｇ２０およびそれに対応する前記候補候補倍率が、合成画像Ｇ２およびそれに対応する前記変換倍率として採用される。
【００８６】
＜工程Ｓ２０５＞
さらに、画像処理部５３の合成画像データ生成部５３Ｄが、変換倍率算出部５３Ｃによって算出された前記変換倍率に従ってサイズ調整された合成画像Ｇ２を表す合成画像データＤｓ０を生成する。
【００８７】
工程Ｓ２０５において、合成画像データ生成部５３Ｄは、最も大きな前記候補倍率に対応する候補合成画像Ｇ２０を合成画像Ｇ２として合成画像データＤｓ０を生成する。
【００８８】
前記指定要素画像およびそれに対応する前記指定倍率が設定されていない場合、合成画像データ生成部５３Ｄは、共通の前記変換倍率に従ってサイズ調整された全ての出力要素画像Ｇ１を含む画像を合成画像Ｇ２として採用する。
【００８９】
一方、図２の工程Ｓ１０８において前記指定要素画像およびそれに対応する前記指定倍率が設定された場合、合成画像データ生成部５３Ｄは、前記指定倍率に従ってサイズ調整された前記指定要素画像と前記変換倍率に従ってサイズ調整された前記指定要素画像以外の出力要素画像Ｇ１とを含む画像を合成画像Ｇ２として採用する。
【００９０】
＜工程Ｓ２０６＞
さらに、プレビュー画面制御部５４Ｂが、プレビュー画面Ｆ２の表示内容を更新する。具体的には、プレビュー画面制御部５４Ｂは、出力シート９２の有効領域９２０内に前記変換倍率に従ってサイズ調整された合成画像Ｇ２が形成された前記印刷物のプレビュー画像Ｇ２ｘを含むプレビュー画面Ｆ２を表示部４Ｂに表示させる。
【００９１】
さらに、プレビュー画面制御部５４Ｂは、表示部４Ｂにおける変換倍率表示欄Ｆ６に、合成画像Ｇ２のサイズ調整に採用された前記変換倍率を表示させる（図６〜８参照）。
【００９２】
相対位置設定部５４Ｃは、出力要素画像Ｇ１が選択されるごとに相対位置情報Ｄｘ１を更新する（Ｓ２０１）。また、変換倍率算出部５３Ｃは、相対位置情報Ｄｘ１が更新されるごとに最新の前記変換倍率を算出する。また、合成画像データ生成部５３Ｄは、最新の前記変換倍率が算出されるごとに、その変換倍率に対応する合成画像データＤｓ０を生成する（Ｓ２０５）。さらに、プレビュー画面制御部５４Ｂは、最新の前記変換倍率が算出されるごとに、その変換倍率に対応する合成画像Ｇ２を含むプレビュー画像Ｇ２ｘを表示部４Ｂに表示させる（Ｓ２０６）。
【００９３】
また、前記指定要素画像およびそれに対応する前記指定倍率が設定されていない場合、プレビュー画面制御部５４Ｂは、共通の前記変換倍率に従ってサイズ調整された全ての出力要素画像Ｇ１を含む画像を合成画像Ｇ２として採用する。
【００９４】
一方、図２の工程Ｓ１０８において前記指定要素画像およびそれに対応する前記指定倍率が設定された場合、プレビュー画面制御部５４Ｂは、前記指定倍率に従ってサイズ調整された前記指定要素画像と前記変換倍率に従ってサイズ調整された前記指定要素画像以外の出力要素画像Ｇ１とを含む画像を合成画像Ｇ２として採用する。
【００９５】
プレビュー画面制御部５４Ｂは、工程Ｓ２０６の処理の後、前記合成画像調整処理を終了させる。
【００９６】
画像形成装置１０が採用されれば、サイズの異なる複数の原画像Ｇ０を、ユーザーの意図に沿った配列で１枚の出力シート９２上に集約された合成画像Ｇ２として出力することが容易になる。
【００９７】
また、出力要素画像Ｇ１が選択されるごとに、また、相対位置情報Ｄｘ１が更新されるごとに、プレビュー画面制御部５４Ｂは、最新の合成画像Ｇ２を表示部４Ｂにプレビュー表示させる。そのため、ユーザーは、合成画像Ｇ２における複数の出力要素画像Ｇ１の配列状態およびサイズのバランスを容易に把握することができる。
【００９８】
また、図３の工程Ｓ２０３において、候補画像編成部５３Ｂが、相対位置情報Ｄｘ１に従って並ぶ複数の出力要素画像Ｇ１を含む複数の候補合成画像Ｇ２０が編成する。候補合成画像Ｇ２０において、文字列タイプ画像Ｇ０１は、文字画像Ｇ１１の向きを基準とする前記標準の向きで配列される。この場合、合成画像Ｇ２に含まれる文字列が統一された前記標準の向きで並ぶため、文字列を読みやすい合成画像Ｇ２が得られる。
【００９９】
また、図２の工程Ｓ１０８において、前記指定要素画像の選択および前記指定要素画像についての前記固定倍率または前記相対倍率である前記指定倍率の設定が可能である。これにより、ユーザーの意図を反映した自由度の高い前記変換倍率の設定が可能である。
【０１００】
また、図２の工程Ｓ１０８において、指定倍率設定部５４Ｄは、テキスト画像アイコンＦ３に対する操作に応じて、複数の出力要素画像Ｇ１に含まれる文字列タイプ画像Ｇ０１を前記指定要素画像として選択可能である。これにより、合成画像Ｇ２において、文字列タイプ画像Ｇ０１が過度に縮小されて文字列が読みにくくなることを防止できる。
【０１０１】
また、図２の工程Ｓ１０８において、複数の出力要素画像Ｇ１の一部または全部の向きが指定される場合がある。この場合、図３の工程Ｓ２０４〜Ｓ２０６において、変換倍率算出部５３Ｃ、合成画像データ生成部５３Ｄおよびプレビュー画面制御部５４Ｂは、指定された向きで配列された複数の出力要素画像Ｇ１の一部または全部を含む画像を合成画像Ｇ２とする。これにより、ユーザーの意図を反映した自由度の高い合成画像Ｇ２の編成が可能である。
【０１０２】
［第２実施形態］
次に、図４、図１１および図１２を参照しつつ、第２実施形態に係る画像形成装置１０Ａについて説明する。以下、画像形成装置１０Ａにおける画像形成装置１０と異なる点について説明する。
【０１０３】
画像形成装置１０Ａは、画像形成装置１０の画像処理部５３に日付抽出部５３Ｅが追加された構成を有する。
【０１０４】
図２の工程Ｓ１０３において、画像形成装置１０ＡのＵＩ制御部５４は、例えば図１２に示されるような合成レイアウト設定画面Ｆ００を表示部４Ｂに表示させる。合成レイアウト設定画面Ｆ０は、選択画面Ｆ１およびプレビュー画面Ｆ２に加え、日付順アイコンＦ８を含む。
【０１０５】
合成レイアウト設定画面Ｆ００が表示部４Ｂに表示されているときに、相対位置設定部５４Ｃが日付順アイコンＦ８に対する操作を検知すると、日付抽出部５３Ｅが、複数の出力要素画像Ｇ１各々から日付情報Ｇ１２を抽出する。さらに、相対位置設定部５４Ｃが、複数の出力要素画像Ｇ１が日付情報Ｇ１２に従って並ぶ位置関係を表す相対位置情報Ｄｘ１を自動設定する。
【０１０６】
日付抽出部５３Ｅは、複数の出力要素画像Ｇ１各々に対する文字認識処理を実行し、予め定められた日付フォーマットで表記された数字と文字もしくは記号との並びを日付情報Ｇ１２として認識する。
【０１０７】
そして、図３の工程Ｓ２０２において、相対位置設定部５４Ｃは、操作部４Ａに対する操作に従って、自動設定された相対位置情報Ｄｘ１を変更可能である。
【０１０８】
画像形成装置１０Ａによれば、複数の出力要素画像Ｇ１が日付順で並ぶ合成画像Ｇ２を生成することが容易である。
【０１０９】
［応用例］
次に、図１３，１４を参照しつつ画像形成装置１０の応用例について説明する。本応用例において、相対位置設定部５４Ｃは、操作部４Ａに対する重なり設定操作に従って、合成画像Ｇ２における複数の出力要素画像Ｇ１の一部または全部の重なり状態を設定可能である。
【０１１０】
以下の説明において、プレビュー画面Ｆ２に表示された複数の出力要素画像Ｇ１における前記朝なり状態が設定される２つの出力要素画像Ｇ１の一方を第１出力要素画像Ｇ１ａと称し、他方を第２出力要素画像Ｇ１ｂと称する。
【０１１１】
例えば、図１３に示されるように、前記重なり設定操作が、以下の２つの操作を含むことが考えられる。第１の操作は、第１の指８ａで操作部４Ａをタッチする操作によってプレビュー画面Ｆ２内の第１出力要素画像Ｇ１ａを選択する操作である。第２の操作は、前記第１の操作によって第１出力要素画像Ｇ１ａが選択されている状態で、第２の指８ｂでの前記ドラッグ・アンド・ドロップ操作によってプレビュー画面Ｆ２内の第２出力要素画像Ｇ１ｂの位置を第１出力要素画像Ｇ１ａと重なる位置へ移動させる操作である。
【０１１２】
相対位置設定部５４Ｃは、前記重なり設定操作に従って、第１出力要素画像Ｇ１ａおよび第２出力要素画像Ｇ１ｂの重なり状態を表す重なり情報を相対位置情報Ｄｘ１に含める。
【０１１３】
そして、候補画像編成部５３Ｂ、変換倍率算出部５３Ｃおよび合成画像データ生成部５３Ｄは、前記重なり情報に従って重なった第１出力要素画像Ｇ１ａおよび第２出力要素画像Ｇ１ｂを１つの出力要素画像Ｇ１であるとみなして、それぞれの処理を実行する。
【０１１４】
従って、図１４に示されるように、前記重なり情報に従って重なった第１出力要素画像Ｇ１ａおよび第２出力要素画像Ｇ１ｂを含む合成画像Ｇ２が生成される。前記応用例によれば、ユーザーの意図を反映した自由度の高い合成画像Ｇ２の生成が可能である。
【０１１５】
また、画像形成装置１０，１０Ａが、他装置と通信可能な通信部を備えることが考えられる。この場合、前記通信部が、前記他装置から複数の原画像Ｇ０のデータを取得することが考えられる。この場合の前記通信部も、前記原画像取得部の一例である。
【０１１６】
なお、本発明に係る画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１１７】
１        ：画像読取部
２        ：画像形成部
３        ：データ記憶部
４        ：ユーザーインターフェイス
４Ａ      ：操作部
４Ｂ      ：表示部
５        ：制御部
７        ：条件指定画面
８        ：指
８ａ      ：第１の指
８ｂ      ：第２の指
１０，１０Ａ：画像形成装置
５１      ：画像読取制御部
５２      ：印刷制御部
５３      ：画像処理部
５３Ａ    ：画像種判定部
５３Ｂ    ：候補画像編成部
５３Ｃ    ：変換倍率算出部
５３Ｄ    ：合成画像データ生成部
５３Ｅ    ：日付抽出部
５４      ：ＵＩ制御部
５４Ａ    ：選択画面制御部
５４Ｂ    ：プレビュー画面制御部
５４Ｃ    ：相対位置設定部
５４Ｄ    ：指定倍率設定部
５４Ｅ    ：出力制御部
９１      ：原稿
９２      ：出力シート
９２０    ：有効領域
Ｄｓ０    ：合成画像データ
Ｄｘ０    ：出力シート情報
Ｄｘ１    ：相対位置情報
Ｆ０，Ｆ００：合成レイアウト設定画面
Ｆ１      ：選択画面
Ｆ２      ：プレビュー画面
Ｆ３      ：テキスト画像アイコン
Ｆ４      ：印刷アイコン
Ｆ５      ：保存アイコン
Ｆ６      ：変換倍率表示欄
Ｆ７１    ：倍率入力欄
Ｆ７２    ：倍率自動指定部
Ｆ７３    ：固定倍率指定部
Ｆ７４    ：相対倍率指定部
Ｆ７５    ：向き自動指定部
Ｆ７６    ：第１向き指定部
Ｆ７７    ：第２向き指定部
Ｆ８      ：日付順アイコン
Ｇ０      ：原画像
Ｇ０１    ：文字列タイプ画像
Ｇ０２    ：非文字列タイプ画像
Ｇ１      ：出力要素画像
Ｇ１１    ：文字画像
Ｇ１２    ：日付情報
Ｇ１ａ    ：第１出力要素画像
Ｇ１ｂ    ：第２出力要素画像
Ｇ２      ：合成画像
Ｇ２０    ：候補合成画像
Ｇ２ｘ    ：プレビュー画像
【図１】
2018006937.tif 000003
【図２】
2018006937.tif 000004
【図３】
2018006937.tif 000005
【図４】
2018006937.tif 000006
【図５】
2018006937.tif 000007
【図６】
2018006937.tif 000008
【図７】
2018006937.tif 000009
【図８】
2018006937.tif 000010
【図９】
2018006937.tif 000011
【図１０】
2018006937.tif 000012
【図１１】
2018006937.tif 000013
【図１２】
2018006937.tif 000014
【図１３】
2018006937.tif 000015
【図１４】
2018006937.tif 000016